(57)【特許請求の範囲】
【請求項１】
機器間通信における物理下り制御チャネル（Ｍ−ＰＤＣＣＨ）および物理下り共有チャネル（ＰＤＳＣＨ）を受信するように構成された受信ユニットを含むユーザ機器であって、
第１のシステムブロードキャスト情報（ＳＩＢ１）を搬送するＰＤＳＣＨにおいて、ＳＩＢ１受信のための先頭の直交周波数分割多重（ＯＦＤＭ）シンボルは、マスター情報ブロック（ＭＩＢ）に含まれる情報に基づいて決定され、
他のＰＤＳＣＨにおいて、先頭のＯＦＤＭシンボルは、上記ＳＩＢ１によって設定され、かつ、
上記Ｍ−ＰＤＣＣＨにおいて、先頭のＯＦＤＭシンボルは、上記ＳＩＢ１によって設定される、ユーザ機器。
【請求項２】
上記他のＰＤＳＣＨにおける上記先頭のＯＦＤＭシンボルの値と、上記Ｍ−ＰＤＣＣＨにおける上記先頭のＯＦＤＭシンボルの値とは同じである、請求項１に記載のユーザ機器。
【請求項３】
機器間通信における物理下り制御チャネル（Ｍ−ＰＤＣＣＨ）および物理下り共有チャネル（ＰＤＳＣＨ）を送信するように構成された送信ユニットを含む基地局であって、
第１のシステムブロードキャスト情報（ＳＩＢ１）を搬送するＰＤＳＣＨにおいて、ＳＩＢ１伝送のための先頭の直交周波数分割多重（ＯＦＤＭ）シンボルは、マスター情報ブロック（ＭＩＢ）に含まれる情報に基づいて決定され、
他のＰＤＳＣＨにおいて、先頭のＯＦＤＭシンボルは、上記ＳＩＢ１によって設定され、かつ、
上記Ｍ−ＰＤＣＣＨにおいて、先頭のＯＦＤＭシンボルは、上記ＳＩＢ１によって設定される、基地局。
【請求項４】
上記他のＰＤＳＣＨにおける上記先頭のＯＦＤＭシンボルの値と、上記Ｍ−ＰＤＣＣＨにおける上記先頭のＯＦＤＭシンボルの値とは同じである、請求項３に記載の基地局。
【請求項５】
ユーザ機器によって実行される方法であって、
機器間通信における物理下り制御チャネル（Ｍ−ＰＤＣＣＨ）および物理下り共有チャネル（ＰＤＳＣＨ）を受信するステップを含み、
第１のシステムブロードキャスト情報（ＳＩＢ１）を搬送するＰＤＳＣＨにおいて、ＳＩＢ１受信のための先頭の直交周波数分割多重（ＯＦＤＭ）シンボルは、マスター情報ブロック（ＭＩＢ）に含まれる情報に基づいて決定され、
他のＰＤＳＣＨにおいて、先頭のＯＦＤＭシンボルは、上記ＳＩＢ１によって設定され、かつ、
上記Ｍ−ＰＤＣＣＨにおいて、先頭のＯＦＤＭシンボルは、上記ＳＩＢ１によって設定される、方法。
【請求項６】
上記他のＰＤＳＣＨにおける上記先頭のＯＦＤＭシンボルの値と、上記Ｍ−ＰＤＣＣＨにおける上記先頭のＯＦＤＭシンボルの値とは同じである、請求項５に記載の方法。
【請求項７】
基地局によって実行される方法であって、
機器間通信における物理下り制御チャネル（Ｍ−ＰＤＣＣＨ）および物理下り共有チャネル（ＰＤＳＣＨ）を送信するステップを含み、
第１のシステムブロードキャスト情報（ＳＩＢ１）を搬送するＰＤＳＣＨにおいて、ＳＩＢ１伝送のための先頭の直交周波数分割多重（ＯＦＤＭ）シンボルは、マスター情報ブロック（ＭＩＢ）に含まれる情報に基づいて決定され、
他のＰＤＳＣＨにおいて、先頭のＯＦＤＭシンボルは、上記ＳＩＢ１によって設定され、かつ、
上記Ｍ−ＰＤＣＣＨにおいて、先頭のＯＦＤＭシンボルは、上記ＳＩＢ１によって設定される、方法。
【請求項８】
上記他のＰＤＳＣＨにおける上記先頭のＯＦＤＭシンボルの値と、上記Ｍ−ＰＤＣＣＨにおける上記先頭のＯＦＤＭシンボルの値とは同じである、請求項７に記載の方法。
【発明の詳細な説明】
【発明の詳細な説明】
【０００１】
〔技術分野〕
本発明は無線通信の技術分野に関し、より具体的には、物理チャネルにおける先頭シンボルを配置する方法、基地局およびユーザ機器に関する。
【０００２】
〔背景技術〕
モバイル通信の急速成長および技術の飛躍的進歩により、世界は、完全なるインタコネクト式のネットワーク社会へと進化し、いかなる人または物であっても、いかなる時間にいかなる場所で情報および共有データを取得できるようになる。２０２０年には、インタコネクトする機器の数量が５００億機にも達し、中でも、携帯電話やタブレットＰＣの数は単に１００億機しかすぎず、残りの機器は、人間と対話するものではなく、互いに対話する機器であると予想される。そのため、膨大な数の機器間通信型の機器をサポートするだけのシステムを如何に設計するかの課題を深く検討する必要がある。
【０００３】
第３世代モバイル通信パートナ・プロジェクト（３ＧＰＰ）によるロング・ターム・エボリューション（ＬＴＥ）の標準では、マシン・トゥ・マシンという通信形式は「機器間通信（Ｍａｃｈｉｎｅ  Ｔｙｐｅ  Ｃｏｍｍｕｎｉｃａｔｉｏｎ；ＭＴＣ）」と呼ばれる。ＭＴＣは、人的介入を必要としないデータ通信サービスである。ＭＴＣユーザ機器による大規模なレイアウトは、セキュリティ、追跡、料金支払い、測量や電子的消費などの分野に応用できる。具体的な応用としては、映像モニタリング、荷物供給チェーンの追跡、スマート電気メータ、遠隔操作等を含む。ＭＴＣは、要求されるパワー消費が低いため、低いデータ伝送レートおよび低いモバイル性に適している。現行ＬＴＥシステムは、主にヒューマン・トゥ・ヒューマン通信サービス向けのものであるが、ＭＴＣサービスにおける規模競争の優勢および将来の応用性を実現するためには、低コストのＭＴＣ機器をサポートするＬＴＥネットワークがキーポイントである。
【０００４】
また、一部のＭＴＣ機器は、住宅ビルの地下室、または、絶縁箔、金属製格子若しくは従来建築物の分厚い壁に守られる場所に設置しなければならない。これらの機器の空間インターフェースは、ＬＴＥネットワークにおける通常の端末機器（例えば携帯電話、タブレットＰＣ等）に比べ、より大きな透過損失が生じる。そこで、３ＧＰＰは、ＬＴＥネットワークにおいて、２０ｄＢを追加するカバーレッジ増強をＭＴＣ機器に提供する案の設計およびその性能評価を決定した。なお、状況の悪いネットワークカバーレッジ内に位置するＭＴＣ機器は、極めて低いデータ伝送レート、極めて緩い時間遅延要求、および有限なモバイル性といった特徴を有する。ＭＴＣのこれらの特徴に対して、ＬＴＥネットワークは、ＭＴＣサービスをより良くサポートするために、一部のシグナリングおよび／またはチャネルを更に最適化してもよい。
【０００５】
そこで、２０１４年６月に開催された３ＤＰＰ  ＲＡＮ＃６４全体会議において、Ｒｅｌ−１３の低複雑性およびカバーレッジ増強型ＭＴＣに関する新たな作業項目を提案した（非特許文献：ＲＰ−１４０９９０  Ｎｅｗ  Ｗｏｒｋ  Ｉｔｅｍ  ｏｎ  Ｅｖｅｎ  Ｌｏｗｅｒ  Ｃｏｍｐｌｅｘｉｔｙ  ａｎｄ  Ｅｎｈａｎｃｅｄ  Ｃｏｖｅｒａｇｅ  ＬＴＥ  ＵＥ  ｆｏｒ  ＭＴＣ,Ｅｒｉｃｓｓｏｎ,ＮＳＮを参照）。この作業項目によれば、ＬＴＥ  Ｒｅｌ−１３システムは、上り／下りＲＦ帯域が１．４ＭＨｚのＭＴＣユーザ機器（Ｕｓｅｒ  Ｅｑｕｉｐｍｅｎｔ；ＵＥ。以下はナローバンドＭＴＣ−ＵＥと称する）を、任意のシステム帯域（例えば１．４ＭＨｚ、３ＭＨｚ、５ＭＨｚ、１０ＭＨｚ、１５ＭＨｚ、２０ＭＨｚなど）で動作可能なようにサポートすべきである。ところで、現行ＬＴＥシステムでは、ＬＴＥ  ＵＥは、ブロードバンド物理制御フォーマット指示チャネル（ＰＣＦＩＣＨ）を用いて物理下り共有チャネル（ＰＤＳＣＨ）または増強型物理下り制御チャネル（ＥＰＤＣＣＨ）における先頭の直交周波数分割多重（ＯＦＤＭ）シンボルを取得することにより、当該ＰＤＳＣＨまたはＥＰＤＣＣＨチャネルを解読することができる。しかし、ナローバンドＭＴＣ−ＵＥの場合、ブロードバンドＰＣＦＩＣＨチャネル上の情報を読み取ることができない。そのため、現行のＬＴＥ標準規格では、ナローバンドＭＴＣ−ＵＥは、ＰＣＦＩＣＨを用いてＰＤＳＣＨまたはＥＰＤＣＣＨにおける先頭のＯＦＤＭシンボルを取得することができないため、当該ＰＤＳＣＨまたはＥＰＤＣＣＨチャネルを解読することができない。
【０００６】
したがって、ナローバンドＭＴＣ−ＵＥについて、ＰＤＳＣＨまたはＥＰＤＣＣＨにおける先頭のＯＦＤＭシンボルを取得するための新たなスキームが必要である。
【０００７】
〔発明の内容〕
上記技術的課題を解決するために、本発明は、ＰＤＳＣＨまたはＥＰＤＣＣＨにおける先頭のＯＦＤＭシンボルを配置／取得するための方法、基地局およびユーザ機器を提供する。
【０００８】
具体的には、本発明の一態様によれば、ＭＴＣにおける物理下り制御チャネル（Ｍ−ＰＤＣＣＨ）および物理下り共有チャネル（ＰＤＳＣＨ）を送信する送信ユニットを含む基地局であって、第１のシステムブロードキャスト情報（ＳＩＢ１）を搬送するためのＰＤＳＣＨにおける先頭のＯＦＤＭシンボルを予め設定すると共に、ＳＩＢ１を用いてＭ−ＰＤＣＣＨおよび他のＰＤＳＣＨにおける先頭のＯＦＤＭシンボルを配置する、基地局を提供する。
【０００９】
一実施例において、システムブロードキャスト情報を搬送するためのＰＤＳＣＨにおける先頭の直交周波数分割多重（ＯＦＤＭ）シンボルは、ｌＳＩＢＳｔａｒｔであり、ページング情報を搬送するためのＰＤＳＣＨにおける先頭のＯＦＤＭシンボルは、ｌＰａｇｉｎｇＳｔａｒｔであり、ランダムアクセスレスポンスを搬送するためのＰＤＳＣＨにおける先頭のＯＦＤＭシンボルは、ｌＭｓｇ２Ｓｔａｒｔであり、ユーザデータを搬送するためのＰＤＳＣＨにおける先頭のＯＦＤＭシンボルは、ｌＤａｔａＳｔａｒｔであり、Ｍ−ＰＤＣＣＨにおける先頭のＯＦＤＭシンボルは、ｌＭＰＤＣＣＨＳｔａｒｔである。
【００１０】
また、一実施例において、ｌＳＩＢＳｔａｒｔ、ｌＰａｇｉｎｇＳｔａｒｔ、ｌＭｓｇ２Ｓｔａｒｔおよび／またはｌＤａｔａＳｔａｒｔおよび／またはｌＭＰＤＣＣＨＳｔａｒｔを予め設定する。
【００１１】
また、一実施例において、ＭＩＢを用いてｌＳＩＢＳｔａｒｔ、ｌＰａｇｉｎｇＳｔａｒｔ、ｌＭｓｇ２Ｓｔａｒｔおよび／またはｌＤａｔａＳｔａｒｔおよび／またはｌＭＰＤＣＣＨＳｔａｒｔを配置する。
【００１２】
また、一実施例において、ＰＤＳＣＨにおけるｌＳＩＢＳｔａｒｔを予め設定すると共に、ＭＩＢを用いてｌＰａｇｉｎｇＳｔａｒｔ、ｌＭｓｇ２Ｓｔａｒｔおよび／またはｌＤａｔａＳｔａｒｔおよび／またはｌＭＰＤＣＣＨＳｔａｒｔを配置する。
【００１３】
また、一実施例において、ＰＤＳＣＨにおけるｌＳＩＢＳｔａｒｔおよびｌＰａｇｉｎｇＳｔａｒｔを予め設定すると共に、ＭＩＢを用いてｌＭｓｇ２Ｓｔａｒｔおよび／またはｌＤａｔａＳｔａｒｔおよび／またはｌＭＰＤＣＣＨＳｔａｒｔを配置する。
【００１４】
また、一実施例において、第１のシステムブロードキャスト情報（ＳＩＢ１）を搬送するためのＰＤＳＣＨにおける先頭のＯＦＤＭシンボルと、第２のシステムブロードキャスト情報（ＳＩＢ２）を搬送するためのＰＤＳＣＨにおける先頭のＯＦＤＭシンボルとを予め設定するか、或いは、ＳＩＢ１を搬送するためのＰＤＳＣＨにおける先頭のＯＦＤＭシンボルと、ＳＩＢ２を搬送するためのＰＤＳＣＨにおける先頭のＯＦＤＭシンボルとを、ＭＩＢを用いて配置すると共に、他のＳＩＢを搬送するためのＰＤＳＣＨにおける先頭のＯＦＤＭシンボルｌＳＩＢＳｔａｒｔ、ｌＰａｇｉｎｇＳｔａｒｔ、ｌＭｓｇ２Ｓｔａｒｔおよび／またはｌＤａｔａＳｔａｒｔおよび／またはｌＭＰＤＣＣＨＳｔａｒｔを、ＳＩＢ２を用いて配置する。
【００１５】
また、一実施例において、ＰＤＳＣＨにおけるｌＳＩＢＳｔａｒｔを予め設定するか、或いは、ＰＤＳＣＨにおけるｌＳＩＢＳｔａｒｔをＰＢＣＨ送信処理ユニットがＭＩＢを用いて配置すると共に、第１のシステムブロードキャスト情報（ＳＩＢ１）または第２のシステムブロードキャスト情報（ＳＩＢ２）を用いてｌＰａｇｉｎｇＳｔａｒｔ、ｌＭｓｇ２Ｓｔａｒｔおよび／またはｌＤａｔａＳｔａｒｔおよび／またはｌＭＰＤＣＣＨＳｔａｒｔを配置する。
【００１６】
また、一実施例において、専用のＲＲＣシグナリングを用いて新たな先頭のＯＦＤＭシンボルをユーザに対して配置することが成功するまで、ＳＩＢとページング情報とＭｓｇ２情報とを除く他の情報および／若しくはデータを搬送するためのＰＤＳＣＨ、および／または、該ＰＤＳＣＨをスケジューリングするためのＥＰＤＣＣＨを、ｌＭｓｇ２Ｓｔａｒｔ、またはデフォルトである先頭のＯＦＤＭシンボルを用いて送信する。
【００１７】
また、一実施例において、ｌＳＩＢＳｔａｒｔ、ｌＰａｇｉｎｇＳｔａｒｔ、ｌＭｓｇ２Ｓｔａｒｔ、ｌＤａｔａＳｔａｒｔおよびｌＭＰＤＣＣＨＳｔａｒｔの値は、互いに同様であるか、部分的に同様であるか、或いは互いに異なる。
【００１８】
本発明の別の態様によれば、ＭＴＣにおける物理下り制御チャネル（Ｍ−ＰＤＣＣＨ）および物理下り共有チャネル（ＰＤＳＣＨ）を受信するように構成された受信ユニットを含むユーザ機器であって、第１のシステムブロードキャスト情報（ＳＩＢ１）を搬送するためのＰＤＳＣＨにおける先頭のＯＦＤＭシンボルが予め設定されており、ＳＩＢ１を用いてＭ−ＰＤＣＣＨおよび他のＰＤＳＣＨにおける先頭のＯＦＤＭシンボルを取得する、ユーザ機器を提供する。
【００１９】
一実施例において、システムブロードキャスト情報を搬送するためのＰＤＳＣＨにおける先頭の直交周波数分割多重（ＯＦＤＭ）シンボルは、ｌＳＩＢＳｔａｒｔであり、ページング情報を搬送するためのＰＤＳＣＨにおける先頭のＯＦＤＭシンボルは、ｌＰａｇｉｎｇＳｔａｒｔであり、ランダムアクセスレスポンスを搬送するためのＰＤＳＣＨにおける先頭のＯＦＤＭシンボルは、ｌＭｓｇ２Ｓｔａｒｔであり、ユーザデータを搬送するためのＰＤＳＣＨにおける先頭のＯＦＤＭシンボルは、ｌＤａｔａＳｔａｒｔであり、Ｍ−ＰＤＣＣＨにおける先頭のＯＦＤＭシンボルは、ｌＭＰＤＣＣＨＳｔａｒｔである。
【００２０】
また、一実施例において、予め設定された方式を用いてｌＳＩＢＳｔａｒｔ、ｌＰａｇｉｎｇＳｔａｒｔ、ｌＭｓｇ２Ｓｔａｒｔおよび／またはｌＤａｔａＳｔａｒｔおよび／またはｌＭＰＤＣＣＨＳｔａｒｔを取得する。
【００２１】
また、一実施例において、ＭＩＢを用いてｌＳＩＢＳｔａｒｔ、ｌＰａｇｉｎｇＳｔａｒｔ、ｌＭｓｇ２Ｓｔａｒｔおよび／またはｌＤａｔａＳｔａｒｔおよび／またはｌＭＰＤＣＣＨＳｔａｒｔを取得する。
【００２２】
また、一実施例において、予め設定された方式を用いてＰＤＳＣＨにおけるｌＳＩＢＳｔａｒｔを取得すると共に、ＭＩＢを用いてｌＰａｇｉｎｇＳｔａｒｔ、ｌＭｓｇ２Ｓｔａｒｔおよび／またはｌＤａｔａＳｔａｒｔおよび／またはｌＭＰＤＣＣＨＳｔａｒｔを取得する。
【００２３】
また、一実施例において、予め設定された方式を用いてＰＤＳＣＨにおけるｌＳＩＢＳｔａｒｔおよびｌＰａｇｉｎｇＳｔａｒｔを取得すると共に、ＭＩＢを用いてｌＭｓｇ２Ｓｔａｒｔおよび／またはｌＤａｔａＳｔａｒｔおよび／またはｌＭＰＤＣＣＨＳｔａｒｔを取得する。
【００２４】
また、一実施例において、第１のシステムブロードキャスト情報（ＳＩＢ１）を搬送するためのＰＤＳＣＨにおける先頭のＯＦＤＭシンボルと、第２のシステムブロードキャスト情報（ＳＩＢ２）を搬送するためのＰＤＳＣＨにおける先頭のＯＦＤＭシンボルと、を予め設定された方式を用いて取得するか、或いは、ＳＩＢ１を搬送するためのＰＤＳＣＨにおける先頭のＯＦＤＭシンボルと、ＳＩＢ２を搬送するためのＰＤＳＣＨにおける先頭のＯＦＤＭシンボルとを、ＭＩＢを用いて取得すると共に、他のＳＩＢを搬送するためのＰＤＳＣＨにおける先頭のＯＦＤＭシンボルｌＳＩＢＳｔａｒｔ、ｌＰａｇｉｎｇＳｔａｒｔ、ｌＭｓｇ２Ｓｔａｒｔおよび／またはｌＤａｔａＳｔａｒｔおよび／またはｌＭＰＤＣＣＨＳｔａｒｔを、ＳＩＢ２を用いて取得する。
【００２５】
また、一実施例において、予め設定された方式を用いてＰＤＳＣＨにおけるｌＳＩＢＳｔａｒｔを取得するか、或いは、ｌＳＩＢＳｔａｒｔをＰＢＣＨ受信処理ユニットがＭＩＢを用いて取得すると共に、第１のシステムブロードキャスト情報（ＳＩＢ１）または第２のシステムブロードキャスト情報（ＳＩＢ２）を用いてｌＰａｇｉｎｇＳｔａｒｔ、ｌＭｓｇ２Ｓｔａｒｔおよび／またはｌＤａｔａＳｔａｒｔおよび／またはｌＭＰＤＣＣＨＳｔａｒｔを取得する。
【００２６】
また、一実施例において、専用のＲＲＣシグナリングを用いて新たな先頭のＯＦＤＭシンボルを取得することが成功するまで、ＳＩＢとページング情報とＭｓｇ２情報とを除く他の情報および／若しくはデータを搬送するためのＰＤＳＣＨ、および／または、該ＰＤＳＣＨをスケジューリングするためのＥＰＤＣＣＨを、ｌＭｓｇ２Ｓｔａｒｔ、またはデフォルトである先頭のＯＦＤＭシンボルを用いて受信する。
【００２７】
また、一実施例において、ｌＳＩＢＳｔａｒｔ、ｌＰａｇｉｎｇＳｔａｒｔ、ｌＭｓｇ２Ｓｔａｒｔ、ｌＤａｔａＳｔａｒｔおよびｌＭＰＤＣＣＨＳｔａｒｔの値は、互いに同様であるか、部分的に同様であるか、或いは互いに異なる。
【００２８】
本発明の別の態様によれば、基地局によって実行される方法であって、第１のシステムブロードキャスト情報（ＳＩＢ１）を搬送するためのＰＤＳＣＨにおける先頭のＯＦＤＭシンボルを予め設定するステップと、ＳＩＢ１を用いてＭ−ＰＤＣＣＨおよび他のＰＤＳＣＨにおける先頭のＯＦＤＭシンボルを配置するステップと、を含む方法を提供する。
【００２９】
また、一実施例において、システムブロードキャスト情報を搬送するためのＰＤＳＣＨにおける先頭の直交周波数分割多重（ＯＦＤＭ）シンボルは、ｌＳＩＢＳｔａｒｔであり、ページング情報を搬送するためのＰＤＳＣＨにおける先頭のＯＦＤＭシンボルは、ｌＰａｇｉｎｇＳｔａｒｔであり、ランダムアクセスレスポンスを搬送するためのＰＤＳＣＨにおける先頭のＯＦＤＭシンボルは、ｌＭｓｇ２Ｓｔａｒｔであり、ユーザデータを搬送するためのＰＤＳＣＨにおける先頭のＯＦＤＭシンボルは、ｌＤａｔａＳｔａｒｔであり、Ｍ−ＰＤＣＣＨにおける先頭のＯＦＤＭシンボルは、ｌＭＰＤＣＣＨＳｔａｒｔである。
【００３０】
また、一実施例において、ｌＳＩＢＳｔａｒｔ、ｌＰａｇｉｎｇＳｔａｒｔ、ｌＭｓｇ２Ｓｔａｒｔおよび／またはｌＤａｔａＳｔａｒｔおよび／またはｌＭＰＤＣＣＨＳｔａｒｔを予め設定する。
【００３１】
また、一実施例において、ＭＩＢを用いてｌＳＩＢＳｔａｒｔ、ｌＰａｇｉｎｇＳｔａｒｔ、ｌＭｓｇ２Ｓｔａｒｔおよび／またはｌＤａｔａＳｔａｒｔおよび／またはｌＭＰＤＣＣＨＳｔａｒｔを配置する。
【００３２】
また、一実施例において、ＰＤＳＣＨにおけるｌＳＩＢＳｔａｒｔを予め設定すると共に、ＭＩＢを用いてｌＰａｇｉｎｇＳｔａｒｔ、ｌＭｓｇ２Ｓｔａｒｔおよび／またはｌＤａｔａＳｔａｒｔおよび／またはｌＭＰＤＣＣＨＳｔａｒｔを配置する。
【００３３】
また、一実施例において、ＰＤＳＣＨにおけるｌＳＩＢＳｔａｒｔおよびｌＰａｇｉｎｇＳｔａｒｔを予め設定すると共に、ＭＩＢを用いてｌＭｓｇ２Ｓｔａｒｔおよび／またはｌＤａｔａＳｔａｒｔおよび／またはｌＭＰＤＣＣＨＳｔａｒｔを配置する。
【００３４】
また、一実施例において、第１のシステムブロードキャスト情報（ＳＩＢ１）を搬送するためのＰＤＳＣＨにおける先頭のＯＦＤＭシンボルと、第２のシステムブロードキャスト情報（ＳＩＢ２）を搬送するためのＰＤＳＣＨにおける先頭のＯＦＤＭシンボルとを予め設定するか、或いは、ＳＩＢ１を搬送するためのＰＤＳＣＨにおける先頭のＯＦＤＭシンボルと、ＳＩＢ２を搬送するためのＰＤＳＣＨにおける先頭のＯＦＤＭシンボルとを、ＭＩＢを用いて配置すると共に、他のＳＩＢを搬送するためのＰＤＳＣＨにおける先頭のＯＦＤＭシンボルｌＳＩＢＳｔａｒｔ、ｌＰａｇｉｎｇＳｔａｒｔ、ｌＭｓｇ２Ｓｔａｒｔおよび／またはｌＤａｔａＳｔａｒｔおよび／またはｌＭＰＤＣＣＨＳｔａｒｔを、ＳＩＢ２を用いて配置する。
【００３５】
また、一実施例において、ＰＤＳＣＨにおけるｌＳＩＢＳｔａｒｔを予め設定するか、或いは、ＭＩＢを用いてＰＤＳＣＨにおけるｌＳＩＢＳｔａｒｔを配置すると共に、第１のシステムブロードキャスト情報（ＳＩＢ１）または第２のシステムブロードキャスト情報（ＳＩＢ２）を用いてｌＰａｇｉｎｇＳｔａｒｔ、ｌＭｓｇ２Ｓｔａｒｔおよび／またはｌＤａｔａＳｔａｒｔおよび／またはｌＭＰＤＣＣＨＳｔａｒｔを配置する。
【００３６】
また、一実施例において、専用のＲＲＣシグナリングを用いて新たな先頭のＯＦＤＭシンボルをユーザに対して配置することが成功するまで、ＳＩＢとページング情報とＭｓｇ２情報とを除く他の情報および／若しくはデータを搬送するためのＰＤＳＣＨ、および／または、該ＰＤＳＣＨをスケジューリングするためのＥＰＤＣＣＨを、ｌＭｓｇ２Ｓｔａｒｔ、またはデフォルトである先頭のＯＦＤＭシンボルを用いて送信する。
【００３７】
また、一実施例において、ｌＳＩＢＳｔａｒｔ、ｌＰａｇｉｎｇＳｔａｒｔ、ｌＭｓｇ２Ｓｔａｒｔ、ｌＤａｔａＳｔａｒｔおよびｌＭＰＤＣＣＨＳｔａｒｔの値は、互いに同様であるか、部分的に同様であるか、或いは互いに異なる。
【００３８】
本発明の別の態様によれば、ユーザ機器によって実行される方法であって、第１のシステムブロードキャスト情報（ＳＩＢ１）を搬送するためのＰＤＳＣＨにおける先頭のＯＦＤＭシンボルが予め設定されるステップと、ＳＩＢ１を用いてＭ−ＰＤＣＣＨおよび他のＰＤＳＣＨにおける先頭のＯＦＤＭシンボルを取得するステップと、を含む方法を提供する。
【００３９】
一実施例において、システムブロードキャスト情報を搬送するためのＰＤＳＣＨにおける先頭の直交周波数分割多重（ＯＦＤＭ）シンボルは、ｌＳＩＢＳｔａｒｔであり、ページング情報を搬送するためのＰＤＳＣＨにおける先頭のＯＦＤＭシンボルは、ｌＰａｇｉｎｇＳｔａｒｔであり、ランダムアクセスレスポンスを搬送するためのＰＤＳＣＨにおける先頭のＯＦＤＭシンボルは、ｌＭｓｇ２Ｓｔａｒｔであり、ユーザデータを搬送するためのＰＤＳＣＨにおける先頭のＯＦＤＭシンボルは、ｌＤａｔａＳｔａｒｔであり、Ｍ−ＰＤＣＣＨにおける先頭のＯＦＤＭシンボルは、ｌＭＰＤＣＣＨＳｔａｒｔである。
【００４０】
また、一実施例において、予め設定された方式を用いて、ＰＤＳＣＨにおけるｌＳＩＢＳｔａｒｔ、ｌＰａｇｉｎｇＳｔａｒｔ、ｌＭｓｇ２ＳｔａｒｔおよびｌＤａｔａＳｔａｒｔ、および／またはＥＰＤＣＣＨにおけるｌＭＰＤＣＣＨＳｔａｒｔを取得する。
【００４１】
また、一実施例において、ＭＩＢを用いてｌＳＩＢＳｔａｒｔ、ｌＰａｇｉｎｇＳｔａｒｔ、ｌＭｓｇ２Ｓｔａｒｔ、ｌＤａｔａＳｔａｒｔおよび／またはｌＭＰＤＣＣＨＳｔａｒｔを取得する。
【００４２】
また、一実施例において、予め設定された方式を用いてＰＤＳＣＨにおけるｌＳＩＢＳｔａｒｔを取得すると共に、ＭＩＢを用いてｌＰａｇｉｎｇＳｔａｒｔ、ｌＭｓｇ２Ｓｔａｒｔおよび／またはｌＤａｔａＳｔａｒｔおよび／またはｌＭＰＤＣＣＨＳｔａｒｔを取得する。
【００４３】
また、一実施例において、予め設定された方式を用いてＰＤＳＣＨにおけるｌＳＩＢＳｔａｒｔおよびｌＰａｇｉｎｇＳｔａｒｔを取得すると共に、ＭＩＢを用いてｌＭｓｇ２Ｓｔａｒｔおよび／またはｌＤａｔａＳｔａｒｔおよび／またはｌＭＰＤＣＣＨＳｔａｒｔを取得する。
【００４４】
また、一実施例において、第１のシステムブロードキャスト情報（ＳＩＢ１）を搬送するためのＰＤＳＣＨにおける先頭のＯＦＤＭシンボルと、第２のシステムブロードキャスト情報（ＳＩＢ２）を搬送するためのＰＤＳＣＨにおける先頭のＯＦＤＭシンボルと、を予め設定された方式を用いて取得するか、或いは、ＳＩＢ１を搬送するためのＰＤＳＣＨにおける先頭のＯＦＤＭシンボルと、ＳＩＢ２を搬送するためのＰＤＳＣＨにおける先頭のＯＦＤＭシンボルとを、ＭＩＢを用いて取得すると共に、他のＳＩＢを搬送するためのＰＤＳＣＨにおける先頭のＯＦＤＭシンボルｌＳＩＢＳｔａｒｔ、ｌＰａｇｉｎｇＳｔａｒｔ、ｌＭｓｇ２Ｓｔａｒｔおよび／またはｌＤａｔａＳｔａｒｔおよび／またはｌＭＰＤＣＣＨＳｔａｒｔを、ＳＩＢ２を用いて取得する。
【００４５】
また、一実施例において、予め設定された方式を用いてＰＤＳＣＨにおけるｌＳＩＢＳｔａｒｔを取得するか、或いは、ＭＩＢを用いてｌＳＩＢＳｔａｒｔを取得すると共に、第１のシステムブロードキャスト情報（ＳＩＢ１）または第２のシステムブロードキャスト情報（ＳＩＢ２）を用いてｌＰａｇｉｎｇＳｔａｒｔ、ｌＭｓｇ２Ｓｔａｒｔおよび／またはｌＤａｔａＳｔａｒｔおよび／またはｌＭＰＤＣＣＨＳｔａｒｔを取得する。
【００４６】
また、専用のＲＲＣシグナリングを用いて新たな先頭のＯＦＤＭシンボルを取得することが成功するまで、ＳＩＢとページング情報とＭｓｇ２情報とを除く他の情報および／若しくはデータを搬送するためのＰＤＳＣＨ、および／または、該ＰＤＳＣＨをスケジューリングするためのＥＰＤＣＣＨを、ｌＭｓｇ２Ｓｔａｒｔ、またはデフォルトである先頭のＯＦＤＭシンボルを用いて受信する。
【００４７】
また、一実施例において、ｌ１ＳＩＢＳｔａｒｔ、ｌ２ＳＩＢＳｔａｒｔ、ｌＳＩＢＳｔａｒｔ、ｌＰａｇｉｎｇＳｔａｒｔ、ｌＭｓｇ２Ｓｔａｒｔ、ｌＤａｔａＳｔａｒｔおよびｌＭＰＤＣＣＨＳｔａｒｔの値は、互いに同様であるか、部分的に同様であるか、或いは互いに異なる。
【００４８】
本発明の上記特徴および他の特徴は、以下に図面に基づいて詳細に説明することにより更に明白になる。
【００４９】
〔図面の簡単な説明〕
図１は、本発明に係る基地局を示すブロック図である。
【００５０】
図２は、本発明に係るユーザ機器を示すブロック図である。
【００５１】
図３は、本発明における、先頭のＯＦＤＭシンボルの配置を示す全体図である。
【００５２】
図４は、本発明において、予めの設定およびＭＩＢ方式に基づいて先頭のＯＦＤＭシンボルを配置する構成を示す模式図である。
【００５３】
図５は、本発明において、予めの設定、または、ＭＩＢ方式とＳＩＢ方式とに基づいて先頭のＯＦＤＭシンボルを配置する構成を示す模式図である。
【００５４】
図６は、本発明において、予めの設定、または、ＭＩＢ方式とＲＲＣシグナリング方式とに基づいて先頭のＯＦＤＭシンボルを配置する構成を示す模式図である。
【００５５】
図７は、本発明において、予めの設定、または、ＭＩＢ方式とＳＩＢ方式とＲＲＣシグナリング方式とに基づいて先頭のＯＦＤＭシンボルを配置する構成を示す模式図である。
【００５６】
図８は、本発明において基地局が先頭のＯＦＤＭシンボルを配置する方法を示すフローチャートである。
【００５７】
図９は、本発明においてユーザ機器が先頭のＯＦＤＭシンボルを取得する方法を示すフローチャートである。
【００５８】
〔発明を実施するための形態〕
以下、図面および具体的な実施形態を挙げつつ、本発明を詳細に説明する。但し、本発明は、後述する具体的な実施形態に限定されるものではない。また、本発明に対する理解の混同を避けるために、便宜上、本発明と直接に関連しない公知技術の詳細な説明を省略する。
【００５９】
また、以下では、適用環境の一例として、ＬＴＥモバイル通信システムおよびそれ以降のエボリューションバージョンを挙げ、本発明に係る複数の実施形態を詳しく説明する。但し、本発明は下記の実施形態に限定されず、他の無線通信システム、例えば将来の５Ｇセルラ通信システムにも適用可能である。
【００６０】
図１は、本発明に係る基地局を示すブロック図である。図示のように、基地局１００は、物理下り共有チャネル送信処理ユニット１１０と、増強型物理下り制御チャネル送信処理ユニット１２０と、物理ブロードキャストチャネル送信処理ユニット１３０とを含む。また、基地局１００は、ベースバンド信号生成ユニット１４０およびＲＦ（Ｒａｄｉｏ  ＦｒｅｑＵＥｎｃｙ）送信ユニット１５０を含んでもよい。代替の構成として、該基地局は、ＭＴＣにおける物理下り制御チャネル（Ｍ−ＰＤＣＣＨ）および物理下り共有チャネル（ＰＤＳＣＨ）を送信する送信ユニットを含み、第１のシステムブロードキャスト情報（ＳＩＢ１）を搬送するためのＰＤＳＣＨにおける先頭のＯＦＤＭシンボルを予め設定すると共に、ＳＩＢ１を用いて、Ｍ−ＰＤＣＣＨおよび他のＰＤＳＣＨにおける先頭のＯＦＤＭシンボルを配置する。なお、当業者に理解されるように、基地局１００は、その機能の実現に必要な他の機能ユニット、例えば各種のプロセッサ、メモリ、ＲＦ受信ユニット、ベースバンド信号抽出ユニット、物理上りチャネル受信処理ユニットおよび他の物理下りチャネル送信処理ユニットなどをさらに含んでもよい。但し、便宜上、これらのような公知デバイス（ベースバンド信号生成ユニット１４０およびＲＦ送信ユニット１５０を含む）の詳細な説明は省略する。
【００６１】
図２は、本発明に係るユーザ機器ＵＥ２００を示すブロック図である。図示のように、ＵＥ２００は、物理下り共有チャネル受信処理ユニット２１０と、増強型物理下り制御チャネル受信処理ユニット２２０と、物理ブロードキャストチャネル受信処理ユニット２３０とを含む。また、ＵＥ２００は、ＲＦ受信ユニット２５０およびベースバンド信号抽出ユニット２４０を含んでもよい。代替の構成として、該ユーザ機器は、ＭＴＣにおける物理下り制御チャネル（Ｍ−ＰＤＣＣＨ）および物理下り共有チャネル（ＰＤＳＣＨ）を受信するように構成された受信ユニットを含み、第１のシステムブロードキャスト情報（ＳＩＢ１）を搬送するためのＰＤＳＣＨにおける先頭のＯＦＤＭシンボルを予め設定すると共に、ＳＩＢ１を用いて、Ｍ−ＰＤＣＣＨおよび他のＰＤＳＣＨにおける先頭のＯＦＤＭシンボルを取得する。なお、当業者に理解されるように、ＵＥ２００は、その機能の実現に必要な他の機能ユニット、例えば各種のプロセッサ、メモリ、ＲＦ送信ユニット、ベースバンド信号生成ユニット、物理上りチャネル送信処理ユニットおよび他の物理下りチャネル受信処理ユニットなどをさらに含んでもよい。但し、便宜上、これらのような公知デバイス（ＲＦ受信ユニット２５０およびベースバンド信号抽出ユニット２４０を含む）の詳細な説明は省略する。
【００６２】
ＰＤＳＣＨは、主にシステム情報（ＳＩＢ）、ページング情報、ランダムアクセスレスポンス（ＲＡＲ）、およびユニキャストデータなどを搬送する。ところで、ナローバンドＭＴＣ−ＵＥでは、ＰＣＦＩＣＨを受信してＰＤＳＣＨにおける先頭のＯＦＤＭシンボルを取得することはできない。そのため、システムブロードキャスト情報、ページング情報、ランダムアクセスレスポンス、またはユニキャストユーザデータを搬送するためのＰＤＳＣＨにおける先頭のＯＦＤＭシンボルを取得する新しいスキームを設計する必要がある。また、ナローバンドＭＴＣ−ＵＥは、物理下り制御チャネル（Ｐｈｙｓｉｃａｌ  Ｄｏｗｎｌｉｎｋ  Ｃｏｎｔｒｏｌ  Ｃｈａｎｎｅｌ；ＰＤＣＣＨ）を用いてＰＤＳＣＨのリソース割当および他の制御情報を取得することができない。ここで、ナローバンドＭＴＣ−ＵＥに対する、ＰＤＳＣＨ上の伝送を実現可能な手法は２つある。１つは、ＭＴＣにおける物理下り制御チャネルＭ−ＰＤＣＣＨ（すなわち、ナローバンドのＥＰＤＣＣＨ）を利用して、ＰＤＳＣＨのリソース割当および他の制御情報を搬送するという手法である。もう１つは、物理下り制御チャネルが存在しない（すなわち、ＰＤＣＣＨおよびＭ−ＰＤＣＣＨが存在しない）ＰＤＳＣＨ上の伝送を採用するという手法である。現行ＬＴＥシステムでは、専用のＥＰＤＣＣＨ（すなわち、具体的ＵＥに対するＥＰＤＣＣＨ）が存在するが、共用のＥＰＤＣＣＨ（例えば、共用の情報ＳＩＢ、ページングおよびＲＡＲなどの伝送に対応するＥＰＤＣＣＨ）は定義されていない。したがって、手法１としては、ＰＤＳＣＨのリソース割当および／または他の制御情報を搬送するための共用のＭ−ＰＤＣＣＨ（ナローバンドＥＰＤＣＣＨ）を設計する必要がある。なお、ここで言う共用のＭ−ＰＤＣＣＨ（ナローバンドＥＰＤＣＣＨ）とは、現行のＬＴＥ枠組みにおけるＥＰＤＣＣＨのことだけではなく、システムブロードキャスト情報、ページング情報またはＲＡＲなどの情報を搬送するＰＤＳＣＨをスケジューリングするためのいかなる物理下り制御チャネルをも指す。そして、手法２としては、予めの設定、並びに／または、マスター情報ブロック（Ｍａｓｔｅｒ  Ｉｎｆｏｒｍａｔｉｏｎ  Ｂｌｏｃｋ；ＭＩＢ）、および／若しくはＳＩＢｘ、および／若しくはＭｓｇ２、および／若しくは専用のＲＲＣ（Ｒａｄｉｏ  Ｒｅｓｏｕｒｃｅ  Ｃｏｎｔｒｏｌ；ＲＲＣ）シグナリングを用いて、ナローバンドＭＴＣ−ＵＥに係るＰＤＳＣＨのリソース割当および／または他の制御情報を搬送、または配置してもよい。なお、ＳＩＢｘとは、ＳＩＢ１、ＳＩＢ２、ＳＩＢ３などの複数のＳＩＢｓのうちの１つを意味する。Ｍｓｇ２とは、ランダムアクセスレスポンス情報を指す。１つのＭｓｇ２には、１つまたは複数のランダムアクセスレスポンス（ＲＡＲｓ）が含まれてもよい。
【００６３】
図３に示すように、ＰＤＳＣＨと、共用または専用のＭ−ＰＤＣＣＨ（ＥＰＤＣＣＨ）とにおける先頭のＯＦＤＭシンボルを配置する方式は主に、予めの設定と、ＭＩＢによる配置と、ＳＩＢによる配置と、ＲＲＣによる配置との４種類がある。ＰＤＳＣＨとしては、ナローバンドＭＴＣ−ＵＥのシステムブロードキャスト情報を搬送するためのＰＤＳＣＨ、ナローバンドＭＴＣ−ＵＥのページング情報を搬送するためのＰＤＳＣＨ、ナローバンドＭＴＣ−ＵＥのランダムアクセスレスポンスを搬送するためのＰＤＳＣＨ、または、ナローバンドＭＴＣ−ＵＥのデータを搬送するためのＰＤＳＣＨ等を含む。以上の４種類の方式による様々な組み合わせを用い、ナローバンドＭＴＣ−ＵＥのシステムブロードキャスト情報を搬送するためのＰＤＳＣＨにおける先頭のＯＦＤＭシンボルｌＳＩＢＳｔａｒｔ、ナローバンドＭＴＣ−ＵＥのページング情報を搬送するためのＰＤＳＣＨにおける先頭のＯＦＤＭシンボルｌＰａｇｉｎｇＳｔａｒｔ、ナローバンドＭＴＣ−ＵＥのランダムアクセスレスポンスを搬送するためのＰＤＳＣＨにおける先頭のＯＦＤＭシンボルｌＭｓｇ２Ｓｔａｒｔ、ナローバンドＭＴＣ−ＵＥのデータを搬送するためのＰＤＳＣＨにおける先頭のＯＦＤＭシンボルｌＤａｔａＳｔａｒｔ、または、共用若しくは専用のＭ−ＰＤＣＣＨ（ＥＰＤＣＣＨ）における先頭のＯＦＤＭシンボルｌＭＰＤＣＣＨＳｔａｒｔを配置してもよい。
【００６４】
ＰＣＦＩＣＨチャネル上で基地局から示される、制御チャネルにおけるＯＦＤＭシンボルのナンバー（Ｃｏｎｔｒｏｌ  Ｆｏｒｍａｔ  Ｉｎｄｉｃａｔｏｒ；ＣＦＩ値は｛１,２,３}に帰属する）は、ｌＳＩＢＳｔａｒｔ、ｌＰａｇｉｎｇＳｔａｒｔ、ｌＭｓｇ２Ｓｔａｒｔ、ｌＤａｔａＳｔａｒｔまたはｌＭＰＤＣＣＨＳｔａｒｔの値と一致してもよく、一致しなくてもよい。なお、ＰＣＦＩＣＨ上で示されているのは、何らかのサブフレーム内の、基地局がＰＤＣＣＨでの伝送のために用いるＯＦＤＭシンボルのナンバーである。一方、ｌＳＩＢＳｔａｒｔ、ｌＰａｇｉｎｇＳｔａｒｔ、ｌＭｓｇ２Ｓｔａｒｔ、ｌＤａｔａＳｔａｒｔおよびｌＭＰＤＣＣＨＳｔａｒｔは、それぞれ、システムブロードキャスト情報を搬送するためのＰＤＳＣＨにおける先頭のＯＦＤＭシンボル、ページング情報を搬送するためのＰＤＳＣＨにおける先頭のＯＦＤＭシンボル、ランダムアクセスレスポンスを搬送するためのＰＤＳＣＨにおける先頭のＯＦＤＭシンボル、ユーザデータを搬送するためのＰＤＳＣＨにおける先頭のＯＦＤＭシンボル、および、共用若しくは専用のＭ−ＰＤＣＣＨ（ＥＰＤＣＣＨ）における先頭のＯＦＤＭシンボルを示す。ところで、下り帯域ＮＤＬＲＢ＞１０（ＮＤＬＲＢの定義は３ＧＰＰ  ＴＳ３６．２１１  Ｖ１１.３.０を参照）の場合、ＰＤＣＣＨ上に用いられるＯＦＤＭシンボルのナンバーは、ＰＣＦＩＣＨチャネル上で示されるＣＦＩ値（すなわち、１、２または３である）に等しく、下り帯域ＮＤＬＲＢ≦１０の場合、ＰＤＣＣＨ上に用いられるＯＦＤＭシンボルのナンバーは、ＰＣＦＩＣＨチャネル上で示されるＣＦＩ値＋１（すなわち、２、３または４である）に等しい。一方、ＰＤＳＣＨにおける先頭のＯＦＤＭシンボルの値は、１つのサブフレームに含まれる１個目のタイムスロット内において、ＰＤＳＣＨ上の伝送に用いられる１番目のＯＦＤＭシンボルのシリアルナンバーを指す。ここで、通常のサイクリックプレフィックス（Ｃｙｃｌｉｃ  Ｐｒｅｆｉｘ；ＣＰ）の場合において、１つのタイムスロット内のＯＦＤＭシンボルのナンバーは、ＮＤＬｓｙｍｂ＝７となっており（ＮＤＬｓｙｍｂの定義は３ＧＰＰ  ＴＳ  ３６.２１１  Ｖ１１.３.０を参照）、１つのタイムスロット内のＯＦＤＭシンボルの値は、ｌ＝０,…,ＮＤＬｓｙｍｂ−１となっている。そして、現行ＬＴＥシステムでは、ＰＤＳＣＨにおける先頭のＯＦＤＭシンボルの値は、ＣＦＩ値（ＮＤＬＲＢ＞１０の場合）またはＣＦＩ値＋１（ＮＤＬＲＢ≦１０の場合）に等しい必要がある。例えば、下り制御チャネルにおけるＯＦＤＭシンボルのナンバー（すなわち、ＣＦＩ値またはＣＦＩ値＋１）が「２」であるとき、該下り制御チャネルに対応するＰＤＳＣＨにおける先頭のＯＦＤＭシンボルの値は、「２」にする必要がある。換言すれば、１個目のタイムスロット内の３番目のＯＦＤＭシンボルが、ＰＤＳＣＨチャネルにおける時間領域シンボルの開始位置になる。
【００６５】
以下は、具体的な実施形態を通して、異なる情報またはデータを搬送する場合の、ＰＤＳＣＨにおける先頭のＯＦＤＭシンボルおよび／または共用若しくは専用のＭ−ＰＤＣＣＨ（ＥＰＤＣＣＨ）における先頭のＯＦＤＭシンボルの配置を説明する。
【００６６】
＜実施例１＞
この実施例では、システムブロードキャスト情報を搬送するためのＰＤＳＣＨにおける先頭のＯＦＤＭシンボルｌＳＩＢＳｔａｒｔ、ページング情報を搬送するためのＰＤＳＣＨにおける先頭のＯＦＤＭシンボルｌＰａｇｉｎｇＳｔａｒｔ、ランダムアクセスレスポンスを搬送するためのＰＤＳＣＨにおける先頭のＯＦＤＭシンボルｌＭｓｇ２Ｓｔａｒｔ、ユーザデータを搬送するためのＰＤＳＣＨにおける先頭のＯＦＤＭシンボルｌＤａｔａＳｔａｒｔ、および／または、共用若しくは専用のＭ−ＰＤＣＣＨ（ＥＰＤＣＣＨ）における先頭のＯＦＤＭシンボルｌＭＰＤＣＣＨＳｔａｒｔを予め設定する。
【００６７】
また、この実施例では、ｌＳＩＢＳｔａｒｔ、ｌＰａｇｉｎｇＳｔａｒｔ、ｌＭｓｇ２Ｓｔａｒｔ、ｌＤａｔａＳｔａｒｔおよびｌＭＰＤＣＣＨＳｔａｒｔは、{１,２,３,４}に属し、これらを同様の値、部分的に同様の値と部分的に異なる値との組み合わせ、または、それぞれ異なる値としてもよい。例えば、ｌＳＩＢＳｔａｒｔ＝ｌＰａｇｉｎｇＳｔａｒｔ＝ｌＭｓｇ２Ｓｔａｒｔ＝ｌＤａｔａＳｔａｒｔ＝ｌＭＰＤＣＣＨＳｔａｒｔ、ｌＳＩＢＳｔａｒｔ＝ｌＰａｇｉｎｇＳｔａｒｔ＝ｌＭｓｇ２Ｓｔａｒｔ≠ｌＤａｔａＳｔａｒｔ＝ｌＭＰＤＣＣＨＳｔａｒｔ、ｌＳＩＢＳｔａｒｔ＝ｌＰａｇｉｎｇＳｔａｒｔ≠ｌＭｓｇ２Ｓｔａｒｔ＝ｌＤａｔａＳｔａｒｔ＝ｌＭＰＤＣＣＨＳｔａｒｔ、ｌＳＩＢＳｔａｒｔ≠ｌＰａｇｉｎｇＳｔａｒｔ＝ｌＭｓｇ２Ｓｔａｒｔ＝ｌＤａｔａＳｔａｒｔ＝ｌＭＰＤＣＣＨＳｔａｒｔ、または、ｌＳＩＢＳｔａｒｔ≠ｌＰａｇｉｎｇＳｔａｒｔ≠ｌＭｓｇ２Ｓｔａｒｔ≠ｌＤａｔａＳｔａｒｔ≠ｌＭＰＤＣＣＨＳｔａｒｔのような設定等にしてもよい。
【００６８】
＜実施例２＞
この実施例では、基地局（具体的には物理ブロードキャストチャネル送信処理ユニット１３０）が、システムブロードキャスト情報を搬送するためのＰＤＳＣＨにおける先頭のＯＦＤＭシンボルｌＳＩＢＳｔａｒｔと、ページング情報を搬送するためのＰＤＳＣＨにおける先頭のＯＦＤＭシンボルｌＰａｇｉｎｇＳｔａｒｔと、ランダムアクセスレスポンスを搬送するためのＰＤＳＣＨにおける先頭のＯＦＤＭシンボルｌＭｓｇ２Ｓｔａｒｔと、ユーザデータを搬送するためのＰＤＳＣＨにおける先頭のＯＦＤＭシンボルｌＤａｔａＳｔａｒｔと、共用若しくは専用のＭ−ＰＤＣＣＨ（ＥＰＤＣＣＨ）における先頭のＯＦＤＭシンボルｌＭＰＤＣＣＨＳｔａｒｔとを、ＭＩＢを用いて配置する。
【００６９】
例えば、ＬＴＥシステムでは、ＭＩＢに計２４個の情報ビットが含まれる。現行の運用としては１４個のビットが使用されているが、１０個のブランクビットが存在する。そこで、基地局は、ＭＩＢのブランクビットを利用して、ｌＳＩＢＳｔａｒｔ、ｌＰａｇｉｎｇＳｔａｒｔ、ｌＭｓｇ２Ｓｔａｒｔ、ｌＤａｔａＳｔａｒｔおよびｌＭＰＤＣＣＨＳｔａｒｔを配置する。ｌＳＩＢＳｔａｒｔ、ｌＰａｇｉｎｇＳｔａｒｔ、ｌＭｓｇ２Ｓｔａｒｔ、ｌＤａｔａＳｔａｒｔおよびｌＭＰＤＣＣＨＳｔａｒｔは、{１,２,３,４}に属し、これらを同様の値、部分的に同様の値と部分的に異なる値との組み合わせ、または、それぞれ異なる値としてもよい。すなわち、ＭＩＢ内の異なるブランクビットからなる組合せを利用し、異なる先頭のＯＦＤＭシンボルを指示する。
【００７０】
＜実施例３＞
図４に示すように、この実施例では、基地局が、システムブロードキャスト情報を搬送するためのＰＤＳＣＨにおける先頭のＯＦＤＭシンボルｌＳＩＢＳｔａｒｔ、ページング情報を搬送するためのＰＤＳＣＨにおける先頭のＯＦＤＭシンボルｌＰａｇｉｎｇＳｔａｒｔ、ランダムアクセスレスポンスを搬送するためのＰＤＳＣＨにおける先頭のＯＦＤＭシンボルｌＭｓｇ２Ｓｔａｒｔ、ユーザデータを搬送するためのＰＤＳＣＨにおける先頭のＯＦＤＭシンボルｌＤａｔａＳｔａｒｔ、および／または、共用若しくは専用のＭ−ＰＤＣＣＨ（ＥＰＤＣＣＨ）における先頭のＯＦＤＭシンボルｌＭＰＤＣＣＨＳｔａｒｔを、予めの設定およびＭＩＢを用いて配置する。
【００７１】
具体的には、ＳＩＢを搬送するためのＰＤＳＣＨにおける先頭のＯＦＤＭシンボルを予め設定すると共に、ページング情報を搬送するためのＰＤＳＣＨにおける先頭のＯＦＤＭシンボルｌＰａｇｉｎｇＳｔａｒｔ、ランダムアクセスレスポンスを搬送するためのＰＤＳＣＨにおける先頭のＯＦＤＭシンボルｌＭｓｇ２Ｓｔａｒｔ、ユーザデータを搬送するためのＰＤＳＣＨにおける先頭のＯＦＤＭシンボルｌＤａｔａＳｔａｒｔ、および／または、共用若しくは専用のＭ−ＰＤＣＣＨ（ＥＰＤＣＣＨ）における先頭のＯＦＤＭシンボルｌＭＰＤＣＣＨＳｔａｒｔを、物理ブロードキャストチャネル送信処理ユニット１３０がＭＩＢを用いて配置する。
【００７２】
好ましくは、ＳＩＢを搬送するためのＰＤＳＣＨにおける先頭のＯＦＤＭシンボルと、ページング情報を搬送するためのＰＤＳＣＨにおける先頭のＯＦＤＭシンボルｌＰａｇｉｎｇＳｔａｒｔとを予め設定すると共に、ランダムアクセスレスポンスを搬送するためのＰＤＳＣＨにおける先頭のＯＦＤＭシンボルｌＭｓｇ２Ｓｔａｒｔ、ユーザデータを搬送するためのＰＤＳＣＨにおける先頭のＯＦＤＭシンボルｌＤａｔａＳｔａｒｔ、および／または、共用若しくは専用のＭ−ＰＤＣＣＨ（ＥＰＤＣＣＨ）における先頭のＯＦＤＭシンボルｌＭＰＤＣＣＨＳｔａｒｔを、物理ブロードキャストチャネル送信処理ユニット１３０がＭＩＢを用いて配置する。
【００７３】
この実施例では、ｌＳＩＢＳｔａｒｔ、ｌＰａｇｉｎｇＳｔａｒｔ、ｌＭｓｇ２Ｓｔａｒｔ、ｌＤａｔａＳｔａｒｔおよびｌＭＰＤＣＣＨＳｔａｒｔは、{１,２,３,４}に属し、これらを同様の値、部分的に同様の値と部分的に異なる値との組み合わせ、または、それぞれ異なる値としてもよい。
【００７４】
＜実施例４＞
図５に示すように、この実施例では、システムブロードキャスト情報を搬送するためのＰＤＳＣＨにおける先頭のＯＦＤＭシンボルｌＳＩＢＳｔａｒｔ、ページング情報を搬送するためのＰＤＳＣＨにおける先頭のＯＦＤＭシンボルｌＰａｇｉｎｇＳｔａｒｔ、ランダムアクセスレスポンスを搬送するためのＰＤＳＣＨにおける先頭のＯＦＤＭシンボルｌＭｓｇ２Ｓｔａｒｔ、ユーザデータを搬送するためのＰＤＳＣＨにおける先頭のＯＦＤＭシンボルｌＤａｔａＳｔａｒｔ、および／または、共用若しくは専用のＭ−ＰＤＣＣＨ（ＥＰＤＣＣＨ）における先頭のＯＦＤＭシンボルｌＭＰＤＣＣＨＳｔａｒｔを、予めの設定、またはＭＩＢとＳＩＢｘとを用いて配置する。
【００７５】
具体的には、ＳＩＢ１を搬送するためのＰＤＳＣＨにおける先頭のＯＦＤＭシンボルを、予め設定するか、物理ブロードキャストチャネル送信処理ユニット１３０がＭＩＢを用いて配置すると共に、他のＳＩＢを搬送するためのＰＤＳＣＨにおける先頭のＯＦＤＭシンボルｌ１ＳＩＢＳｔａｒｔ、ページング情報を搬送するためのＰＤＳＣＨにおける先頭のＯＦＤＭシンボルｌＰａｇｉｎｇＳｔａｒｔ、ランダムアクセスレスポンスを搬送するためのＰＤＳＣＨにおける先頭のＯＦＤＭシンボルｌＭｓｇ２Ｓｔａｒｔ、ユーザデータを搬送するためのＰＤＳＣＨにおける先頭のＯＦＤＭシンボルｌＤａｔａＳｔａｒｔ、および／または、共用若しくは専用のＭ−ＰＤＣＣＨ（ＥＰＤＣＣＨ）における先頭のＯＦＤＭシンボルｌＭＰＤＣＣＨＳｔａｒｔを、物理下り共有チャネル送信処理ユニット１１０がＳＩＢ１を用いて配置する。
【００７６】
好ましくは、ＳＩＢ１を搬送するためのＰＤＳＣＨにおける先頭のＯＦＤＭシンボルと、ＳＩＢ２を搬送するためのＰＤＳＣＨにおける先頭のＯＦＤＭシンボルと、を予め設定するか、物理ブロードキャストチャネル送信処理ユニット１３０がＭＩＢを用いて配置すると共に、他のＳＩＢを搬送するためのＰＤＳＣＨにおける先頭のＯＦＤＭシンボルｌ２ＳＩＢＳｔａｒｔと、ページング情報を搬送するためのＰＤＳＣＨにおける先頭のＯＦＤＭシンボルｌＰａｇｉｎｇＳｔａｒｔと、ランダムアクセスレスポンスを搬送するためのＰＤＳＣＨにおける先頭のＯＦＤＭシンボルｌＭｓｇ２Ｓｔａｒｔと、ユーザデータを搬送するためのＰＤＳＣＨにおける先頭のＯＦＤＭシンボルｌＤａｔａＳｔａｒｔと、共用若しくは専用のＭ−ＰＤＣＣＨ（ＥＰＤＣＣＨ）における先頭のＯＦＤＭシンボルｌＭＰＤＣＣＨＳｔａｒｔと、を物理下り共有チャネル送信処理ユニット１１０がＳＩＢ２を用いて配置する。
【００７７】
また、好ましくは、ＳＩＢを搬送するためのＰＤＳＣＨにおける先頭のＯＦＤＭシンボルｌＳＩＢＳｔａｒｔを、予め設定するか、物理ブロードキャストチャネル送信処理ユニット１３０がＭＩＢを用いて配置すると共に、ページング情報を搬送するためのＰＤＳＣＨにおける先頭のＯＦＤＭシンボルｌＰａｇｉｎｇＳｔａｒｔと、ランダムアクセスレスポンスを搬送するためのＰＤＳＣＨにおける先頭のＯＦＤＭシンボルｌＭｓｇ２Ｓｔａｒｔと、ユーザデータを搬送するためのＰＤＳＣＨにおける先頭のＯＦＤＭシンボルｌＤａｔａＳｔａｒｔと、共用若しくは専用のＭ−ＰＤＣＣＨ（ＥＰＤＣＣＨ）における先頭のＯＦＤＭシンボルｌＭＰＤＣＣＨＳｔａｒｔと、を物理下り共有チャネル送信処理ユニット１１０がＳＩＢ１またはＳＩＢ２を用いて配置する。
【００７８】
この実施例では、ｌ１ＳＩＢＳｔａｒｔ、ｌ２ＳＩＢＳｔａｒｔ、ｌＳＩＢＳｔａｒｔ、ｌＰａｇｉｎｇＳｔａｒｔ、ｌＭｓｇ２Ｓｔａｒｔ、ｌＤａｔａＳｔａｒｔおよびｌＭＰＤＣＣＨＳｔａｒｔは、{１,２,３,４}に属し、これらを同様の値、部分的に同様の値と部分的に異なる値との組み合わせ、または、それぞれ異なる値としてもよい。
【００７９】
＜実施例５＞
図６に示すように、この実施例では、システムブロードキャスト情報を搬送するためのＰＤＳＣＨにおける先頭のＯＦＤＭシンボルｌＳＩＢＳｔａｒｔ、ページング情報を搬送するためのＰＤＳＣＨにおける先頭のＯＦＤＭシンボルｌＰａｇｉｎｇＳｔａｒｔ、ランダムアクセスレスポンスを搬送するためのＰＤＳＣＨにおける先頭のＯＦＤＭシンボルｌＭｓｇ２Ｓｔａｒｔ、ユーザデータを搬送するためのＰＤＳＣＨにおける先頭のＯＦＤＭシンボルｌＤａｔａＳｔａｒｔ、および／または、共用若しくは専用のＭ−ＰＤＣＣＨ（ＥＰＤＣＣＨ）における先頭のＯＦＤＭシンボルｌＭＰＤＣＣＨＳｔａｒｔを、予めの設定、または、ＭＩＢとＲＲＣシグナリングとを用いて配置する。
【００８０】
具体的には、ＳＩＢを搬送するためのＰＤＳＣＨにおける先頭のＯＦＤＭシンボルｌＳＩＢＳｔａｒｔ、ページング情報を搬送するためのＰＤＳＣＨにおける先頭のＯＦＤＭシンボルｌＰａｇｉｎｇＳｔａｒｔ、ランダムアクセスレスポンスを搬送するためのＰＤＳＣＨにおける先頭のＯＦＤＭシンボルｌＭｓｇ２Ｓｔａｒｔ、または、共用のＭ−ＰＤＣＣＨ（ＥＰＤＣＣＨ）における先頭のＯＦＤＭシンボルｌＭＰＤＣＣＨＳｔａｒｔを、予め設定するか、物理ブロードキャストチャネル送信処理ユニット１３０がＭＩＢを用いて配置する。そして、ナローバンドＭＴＣ−ＵＥは、該ＵＥが専用のＲＲＣ（専用ＲＲＣ、またはＵＥ向けのＲＲＣ）シグナリングを用いて新たな先頭のＯＦＤＭシンボルの配置値を入手するまで、ＳＩＢとページング情報とを除く他の情報および／またはデータを搬送するためのＰＤＳＣＨ、および／または、該ＰＤＳＣＨに対応するＭ−ＰＤＣＣＨ（ＥＰＤＣＣＨ）を、ｌＭｓｇ２Ｓｔａｒｔを利用して受信する。その後、該ＵＥは、専用のＲＲＣによって配置された、Ｍ−ＰＤＣＣＨ（ＥＰＤＣＣＨ）および／またはＰＤＳＣＨにおける先頭のＯＦＤＭシンボルを利用して、ユーザデータを受信する。
【００８１】
好ましくは、ＳＩＢを搬送するためのＰＤＳＣＨにおける先頭のＯＦＤＭシンボルｌＳＩＢＳｔａｒｔ、ページング情報を搬送するためのＰＤＳＣＨにおける先頭のＯＦＤＭシンボルｌＰａｇｉｎｇＳｔａｒｔ、ランダムアクセスレスポンスを搬送するためのＰＤＳＣＨにおける先頭のＯＦＤＭシンボルｌＭｓｇ２Ｓｔａｒｔ、または、共用のＭ−ＰＤＣＣＨ（ＥＰＤＣＣＨ）における先頭のＯＦＤＭシンボルを、予め設定するか、物理ブロードキャストチャネル送信処理ユニット１３０がＭＩＢを用いて配置する。そして、ナローバンドＭＴＣ−ＵＥは、該ＵＥが専用のＲＲＣシグナリングを用いて新たな先頭のＯＦＤＭシンボルの配置値を入手するまで、ＳＩＢとページング情報とＲＡＲ情報とを除く他の情報および／またはデータを搬送するためのＰＤＳＣＨ、および／または、該ＰＤＳＣＨに対応するＭ−ＰＤＣＣＨ（ＥＰＤＣＣＨ）を、デフォルトであるＰＤＳＣＨにおける先頭のＯＦＤＭシンボルを利用して受信する。その後、該ＵＥは、専用のＲＲＣによって配置された、Ｍ−ＰＤＣＣＨ（ＥＰＤＣＣＨ）および／またはＰＤＳＣＨにおける先頭のＯＦＤＭシンボルを利用して、ユーザデータを受信する。
【００８２】
この実施例では、ｌＳＩＢＳｔａｒｔ、ｌＰａｇｉｎｇＳｔａｒｔ、ｌＭｓｇ２Ｓｔａｒｔ、ｌＤａｔａＳｔａｒｔおよびｌＭＰＤＣＣＨＳｔａｒｔは、{１,２,３,４}に属し、これらを同様の値、部分的に同様の値と部分的に異なる値との組み合わせ、または、それぞれ異なる値としてもよい。
【００８３】
＜実施例６＞
図７に示すように、この実施例では、システムブロードキャスト情報を搬送するためのＰＤＳＣＨにおける先頭のＯＦＤＭシンボルｌＳＩＢＳｔａｒｔと、ページング情報を搬送するためのＰＤＳＣＨにおける先頭のＯＦＤＭシンボルｌＰａｇｉｎｇＳｔａｒｔと、ランダムアクセスレスポンスを搬送するためのＰＤＳＣＨにおける先頭のＯＦＤＭシンボルｌＭｓｇ２Ｓｔａｒｔと、ユーザデータを搬送するためのＰＤＳＣＨにおける先頭のＯＦＤＭシンボルｌＤａｔａＳｔａｒｔと、共用若しくは専用のＭ−ＰＤＣＣＨ（ＥＰＤＣＣＨ）における先頭のＯＦＤＭシンボルｌＭＰＤＣＣＨＳｔａｒｔと、を予めの設定、または、ＭＩＢとＳＩＢとＲＲＣシグナリングとを用いて配置する。
【００８４】
具体的には、ＳＩＢ１を搬送するためのＰＤＳＣＨにおける先頭のＯＦＤＭシンボルを、予め設定するか、物理ブロードキャストチャネル送信処理ユニット１３０がＭＩＢを用いて配置すると共に、他のＳＩＢを搬送するためのＰＤＳＣＨにおける先頭のＯＦＤＭシンボルｌ１ＳＩＢＳｔａｒｔ、ページング情報を搬送するためのＰＤＳＣＨにおける先頭のＯＦＤＭシンボルｌＰａｇｉｎｇＳｔａｒｔ、ランダムアクセスレスポンスを搬送するためのＰＤＳＣＨにおける先頭のＯＦＤＭシンボルｌＭｓｇ２Ｓｔａｒｔ、または、共用のＭ−ＰＤＣＣＨ（ＥＰＤＣＣＨ）における先頭のＯＦＤＭシンボルを、物理下り共有チャネル送信処理ユニット１１０がＳＩＢ１を用いて配置する。そして、ナローバンドＭＴＣ−ＵＥは、該ＵＥが専用のＲＲＣ（専用ＲＲＣ、またはＵＥ向けのＲＲＣ）シグナリングを用いて新たな先頭のＯＦＤＭシンボルの配置値を入手するまで、ＳＩＢとページング情報とを除く他の情報および／またはデータを搬送するためのＰＤＳＣＨ、および／または、該ＰＤＳＣＨに対応するＭ−ＰＤＣＣＨ（ＥＰＤＣＣＨ）を、ｌＭｓｇ２Ｓｔａｒｔを利用して受信する。その後、ＵＥは、専用のＲＲＣによって配置されたＭ−ＰＤＣＣＨ（ＥＰＤＣＣＨ）および／またはＰＤＳＣＨにおける先頭のＯＦＤＭシンボルを利用して、ユーザデータを受信する。
【００８５】
好ましくは、ＳＩＢ１を搬送するためのＰＤＳＣＨにおける先頭のＯＦＤＭシンボルを、予め設定するか、物理ブロードキャストチャネル送信処理ユニット１３０がＭＩＢを用いて配置すると共に、他のＳＩＢを搬送するためのＰＤＳＣＨにおける先頭のＯＦＤＭシンボルｌ１ＳＩＢＳｔａｒｔ、ページング情報を搬送するためのＰＤＳＣＨにおける先頭のＯＦＤＭシンボルｌＰａｇｉｎｇＳｔａｒｔ、ランダムアクセスレスポンスを搬送するためのＰＤＳＣＨにおける先頭のＯＦＤＭシンボルｌＭｓｇ２Ｓｔａｒｔ、または、共用のＭ−ＰＤＣＣＨ（ＥＰＤＣＣＨ）における先頭のＯＦＤＭシンボルを、物理下り共有チャネル送信処理ユニット１１０がＳＩＢ１を用いて配置する。そして、ナローバンドＭＴＣ−ＵＥは、該ＵＥが専用のＲＲＣシグナリングを用いて新たな先頭のＯＦＤＭシンボルの配置値を入手するまで、ＳＩＢとページング情報とＲＡＲ情報とを除く他の情報および／またはデータを搬送するためのＰＤＳＣＨ、および／または、該ＰＤＳＣＨに対応するＭ−ＰＤＣＣＨ（ＥＰＤＣＣＨ）を、デフォルトであるＰＤＳＣＨにおける先頭のＯＦＤＭシンボルを利用して受信する。その後、該ＵＥは、専用のＲＲＣによって配置された、Ｍ−ＰＤＣＣＨ（ＥＰＤＣＣＨ）および／またはＰＤＳＣＨにおける先頭のＯＦＤＭシンボルを利用して、ユーザデータを受信する。
【００８６】
また、好ましくは、ＳＩＢ１を搬送するためのＰＤＳＣＨにおける先頭のＯＦＤＭシンボルと、ＳＩＢ２を搬送するためのＰＤＳＣＨにおける先頭のＯＦＤＭシンボルと、を予め設定するか、物理ブロードキャストチャネル送信処理ユニット１３０がＭＩＢを用いて配置すると共に、他のＳＩＢを搬送するためのＰＤＳＣＨにおける先頭のＯＦＤＭシンボルｌ２ＳＩＢＳｔａｒｔ、ページング情報を搬送するためのＰＤＳＣＨにおける先頭のＯＦＤＭシンボルｌＰａｇｉｎｇＳｔａｒｔ、ランダムアクセスレスポンスを搬送するためのＰＤＳＣＨにおける先頭のＯＦＤＭシンボルｌＭｓｇ２Ｓｔａｒｔ、または、共用のＭ−ＰＤＣＣＨ（ＥＰＤＣＣＨ）における先頭のＯＦＤＭシンボルを、物理下り共有チャネル送信処理ユニット１１０がＳＩＢ２を用いて配置する。そして、ナローバンドＭＴＣ−ＵＥは、該ＵＥが専用のＲＲＣ（専用ＲＲＣ、またはＵＥ向けのＲＲＣ）シグナリングを用いて新たな先頭のＯＦＤＭシンボルの配置値を入手するまで、ＳＩＢとページング情報とを除く他の情報および／またはデータを搬送するためのＰＤＳＣＨ、および／または、該ＰＤＳＣＨに対応するＭ−ＰＤＣＣＨ（ＥＰＤＣＣＨ）を、ｌＭｓｇ２Ｓｔａｒｔを利用して受信する。その後、該ＵＥは、専用のＲＲＣによって配置された、Ｍ−ＰＤＣＣＨ（ＥＰＤＣＣＨ）および／またはＰＤＳＣＨにおける先頭のＯＦＤＭシンボルを利用して、ユーザデータを受信する。
【００８７】
また、好ましくは、ＳＩＢ１を搬送するためのＰＤＳＣＨにおける先頭のＯＦＤＭシンボルと、ＳＩＢ２を搬送するためのＰＤＳＣＨにおける先頭のＯＦＤＭシンボルと、を予め設定するか、物理ブロードキャストチャネル送信処理ユニット１３０がＭＩＢを用いて配置すると共に、他のＳＩＢを搬送するためのＰＤＳＣＨにおける先頭のＯＦＤＭシンボルｌ２ＳＩＢＳｔａｒｔ、ページング情報を搬送するためのＰＤＳＣＨにおける先頭のＯＦＤＭシンボルｌＰａｇｉｎｇＳｔａｒｔ、ランダムアクセスレスポンスを搬送するためのＰＤＳＣＨにおける先頭のＯＦＤＭシンボルｌＭｓｇ２Ｓｔａｒｔ、または、共用のＭ−ＰＤＣＣＨ（ＥＰＤＣＣＨ）における先頭のＯＦＤＭシンボルを、物理下り共有チャネル送信処理ユニット１１０がＳＩＢ２を用いて配置する。そして、ナローバンドＭＴＣ−ＵＥは、該ＵＥが専用のＲＲＣシグナリングを用いて新たな先頭のＯＦＤＭシンボルの配置値を入手するまで、ＳＩＢとページング情報とＲＡＲ情報とを除く他の情報および／またはデータを搬送するためのＰＤＳＣＨ、および／または、該ＰＤＳＣＨに対応するＭ−ＰＤＣＣＨ（ＥＰＤＣＣＨ）を、デフォルトであるＰＤＳＣＨにおける先頭のＯＦＤＭシンボルを利用して受信する。その後、該ＵＥは、専用のＲＲＣによって配置された、Ｍ−ＰＤＣＣＨ（ＥＰＤＣＣＨ）および／またはＰＤＳＣＨにおける先頭のＯＦＤＭシンボルを利用して、ユーザデータを受信する。
【００８８】
また、好ましくは、ＳＩＢを搬送するためのＰＤＳＣＨにおける先頭のＯＦＤＭシンボルｌＳＩＢＳｔａｒｔを、予め設定するか、物理ブロードキャストチャネル送信処理ユニット１３０がＭＩＢを用いて配置すると共に、ページング情報を搬送するためのＰＤＳＣＨにおける先頭のＯＦＤＭシンボルｌＰａｇｉｎｇＳｔａｒｔ、ランダムアクセスレスポンスを搬送するためのＰＤＳＣＨにおける先頭のＯＦＤＭシンボルｌＭｓｇ２Ｓｔａｒｔ、または、共用のＭ−ＰＤＣＣＨ（ＥＰＤＣＣＨ）における先頭のＯＦＤＭシンボルを、物理下り共有チャネル送信処理ユニット１１０がＳＩＢ１またはＳＩＢ２を用いて配置する。そして、ナローバンドＭＴＣ−ＵＥは、該ＵＥが専用のＲＲＣ（専用ＲＲＣ、またはＵＥ向けのＲＲＣ）シグナリングを用いて新たな先頭のＯＦＤＭシンボルの配置値を入手するまで、ＳＩＢとページング情報とを除く他の情報および／またはデータを搬送するためのＰＤＳＣＨ、および／または、該ＰＤＳＣＨに対応するＭ−ＰＤＣＣＨ（ＥＰＤＣＣＨ）を、ｌＭｓｇ２Ｓｔａｒｔを利用して受信する。その後、該ＵＥは、専用のＲＲＣによって配置された、Ｍ−ＰＤＣＣＨ（ＥＰＤＣＣＨ）および／またはＰＤＳＣＨにおける先頭のＯＦＤＭシンボルを利用して、ユーザデータを受信する。
【００８９】
また、好ましくは、ＳＩＢを搬送するためのＰＤＳＣＨにおける先頭のＯＦＤＭシンボルｌＳＩＢＳｔａｒｔを、予め設定するか、物理ブロードキャストチャネル送信処理ユニット１３０がＭＩＢを用いて配置すると共に、他のＳＩＢを搬送するためのＰＤＳＣＨにおける先頭のＯＦＤＭシンボルｌ２ＳＩＢＳｔａｒｔ、ページング情報を搬送するためのＰＤＳＣＨにおける先頭のＯＦＤＭシンボルｌＰａｇｉｎｇＳｔａｒｔ、ランダムアクセスレスポンスを搬送するためのＰＤＳＣＨにおける先頭のＯＦＤＭシンボルｌＭｓｇ２Ｓｔａｒｔ、または、共用のＭ−ＰＤＣＣＨ（ＥＰＤＣＣＨ）における先頭のＯＦＤＭシンボルを、物理下り共有チャネル送信処理ユニット１１０がＳＩＢ１またはＳＩＢ２を用いて配置する。そして、ナローバンドＭＴＣ−ＵＥは、該ＵＥが専用のＲＲＣシグナリングを用いて新たな先頭のＯＦＤＭシンボルの配置値を入手するまで、ＳＩＢとページング情報とＲＡＲ情報とを除く他の情報および／またはデータを搬送するためのＰＤＳＣＨ、および／または、該ＰＤＳＣＨに対応するＭ−ＰＤＣＣＨ（ＥＰＤＣＣＨ）を、デフォルトであるＰＤＳＣＨにおける先頭のＯＦＤＭシンボルを利用して受信する。その後、該ＵＥは、専用のＲＲＣによって配置された、Ｍ−ＰＤＣＣＨ（ＥＰＤＣＣＨ）および／またはＰＤＳＣＨにおける先頭のＯＦＤＭシンボルを利用して、ユーザデータを受信する。
【００９０】
この実施例では、ｌ１ＳＩＢＳｔａｒｔ、ｌ２ＳＩＢＳｔａｒｔ、ｌＳＩＢＳｔａｒｔ、ｌＰａｇｉｎｇＳｔａｒｔ、ｌＭｓｇ２Ｓｔａｒｔ、ｌＤａｔａＳｔａｒｔおよびｌＭＰＤＣＣＨＳｔａｒｔは、{１,２,３,４}に属し、これらを同様の値、部分的に同様の値と部分的に異なる値との組み合わせ、または、それぞれ異なる値としてもよい。
【００９１】
ところで、物理下りチャネル上の伝送を何らかの送信時間間隔（Ｔｒａｎｓｍｉｓｓｉｏｎ  Ｔｉｍｅ  Ｉｎｔｅｒｖａｌ；ＴＴＩ）で行うことに関し、設定されるＣＦＩ値（ＮＤＬＲＢ＞１０の場合）またはＣＦＩ値＋１（ＮＤＬＲＢ≦１０の場合）と、基地局からナローバンドＭＴＣ−ＵＥに対して配置される、ＰＤＳＣＨにおける先頭のＯＦＤＭシンボルおよび／または共用および／若しくは専用のＭ−ＰＤＣＣＨ（ＥＰＤＣＣＨ）における先頭のＯＦＤＭシンボルとの関係には、下記の構成、およびそれに対応する、基地局とナローバンドＭＴＣ−ＵＥとの間の動作規範が要求される。
【００９２】
すなわち、ナローバンドＭＴＣ−ＵＥのシステムブロードキャスト情報を搬送するためのＰＤＳＣＨをＴＴＩで伝送し、かつ、ナローバンドＭＴＣ−ＵＥと通常のＬＴＥユーザとがシステムブロードキャスト情報の伝送を共有する場合には、基地局によって設定されるＣＦＩ値（ＮＤＬＲＢ＞１０の場合）またはＣＦＩ値＋１（ＮＤＬＲＢ≦１０の場合）と、基地局からナローバンドＭＴＣ−ＵＥに対して配置される、システムブロードキャスト情報を搬送するためのＰＤＳＣＨにおける先頭のＯＦＤＭシンボルの値と、を等しくする必要がある。そして、ナローバンドＭＴＣ−ＵＥは、システムブロードキャスト情報を搬送するためのＰＤＳＣＨを受信すると、該ＰＤＳＣＨにおける先頭のＯＦＤＭシンボルをｌＳＩＢＳｔａｒｔに設定する。
【００９３】
ナローバンドＭＴＣ−ＵＥのシステムブロードキャスト情報を搬送するためのＰＤＳＣＨを前記ＴＴＩで伝送するが、ナローバンドＭＴＣ−ＵＥと通常のＬＴＥユーザとがシステムブロードキャスト情報の伝送を共有せず、すなわち、基地局がナローバンドＭＴＣ−ＵＥに対して単独にシステムブロードキャスト情報を伝送する場合には、基地局によって設定されるＣＦＩ値（ＮＤＬＲＢ＞１０の場合）またはＣＦＩ値＋１（ＮＤＬＲＢ≦１０の場合）と、基地局からナローバンドＭＴＣ−ＵＥに対して配置される、システムブロードキャスト情報を搬送するためのＰＤＳＣＨにおける先頭のＯＦＤＭシンボルｌＳＩＢＳｔａｒｔの値とは、等しくなくてもよい。ＣＦＩ値（ＮＤＬＲＢ＞１０の場合）またはＣＦＩ値＋１（ＮＤＬＲＢ≦１０の場合）がｌＳＩＢＳｔａｒｔの値よりも小さく、または等しい場合には、基地局は、ｌＳＩＢＳｔａｒｔである先頭のＯＦＤＭシンボルからスタートして、ナローバンドＭＴＣ−ＵＥのシステムブロードキャスト情報を搬送するためのＰＤＳＣＨにおけるリソースエレメント（Ｒｅｓｏｕｒｃｅ  Ｅｌｅｍｅｎｔ；ＲＥ）のマッピングを行う。一方、ＣＦＩ値（ＮＤＬＲＢ＞１０の場合）またはＣＦＩ値＋１（ＮＤＬＲＢ≦１０の場合）がｌＳＩＢＳｔａｒｔの値よりも大きい場合には、基地局は、ｌＳＩＢＳｔａｒｔである先頭のＯＦＤＭシンボルからスタートして、ナローバンドＭＴＣ−ＵＥのシステムブロードキャスト情報を搬送するためのＰＤＳＣＨにおけるリソースエレメントのマッピングを行うが、ナローバンドＭＴＣ−ＵＥのシステムブロードキャスト情報を搬送するためのＰＤＳＣＨにおけるリソースエレメントのうち、ブロードバンドＰＤＣＣＨとは重畳するリソースエレメントに対してパンクチャー処理も行う。そして、ナローバンドＭＴＣ−ＵＥは、システムブロードキャスト情報を搬送するためのＰＤＳＣＨを受信すると、該ＰＤＳＣＨにおける先頭のＯＦＤＭシンボルをｌＳＩＢＳｔａｒｔに設定する。
【００９４】
また、ナローバンドＭＴＣ−ＵＥのページング情報を搬送するためのＰＤＳＣＨ、ナローバンドＭＴＣ−ＵＥのランダムアクセスレスポンスを搬送するためのＰＤＳＣＨ、または、ナローバンドＭＴＣ−ＵＥのデータを搬送するためのＰＤＳＣＨを、前記ＴＴＩで伝送する場合には、基地局によって設定されるＣＦＩ値（ＮＤＬＲＢ＞１０の場合）またはＣＦＩ値＋１（ＮＤＬＲＢ≦１０の場合）と、基地局からナローバンドＭＴＣ−ＵＥに対して配置される、システムブロードキャスト情報を搬送するためのＰＤＳＣＨにおける先頭のＯＦＤＭシンボルｌＳＩＢＳｔａｒｔの値とは、等しくなくてもよい。ＣＦＩ値（ＮＤＬＲＢ＞１０の場合）またはＣＦＩ値＋１（ＮＤＬＲＢ≦１０の場合）が、ｌＰａｇｉｎｇＳｔａｒｔ、ｌＭｓｇ２Ｓｔａｒｔ若しくはｌＤａｔａＳｔａｒｔの値よりも小さく、または等しい場合には、基地局は、ｌＰａｇｉｎｇＳｔａｒｔ、ｌＭｓｇ２ＳｔａｒｔまたはｌＤａｔａＳｔａｒｔである先頭のＯＦＤＭシンボルからスタートして、ナローバンドＭＴＣ−ＵＥのページング情報を搬送するためのＰＤＳＣＨ、ナローバンドＭＴＣ−ＵＥのランダムアクセスレスポンスを搬送するためのＰＤＳＣＨ、または、ナローバンドＭＴＣ−ＵＥのデータを搬送するためのＰＤＳＣＨにおけるリソースエレメントのマッピングを行う。一方、ＣＦＩ値（ＮＤＬＲＢ＞１０の場合）またはＣＦＩ値＋１（ＮＤＬＲＢ≦１０の場合）がｌＳＩＢＳｔａｒｔの値よりも大きい場合には、基地局は、ｌＰａｇｉｎｇＳｔａｒｔ、ｌＭｓｇ２ＳｔａｒｔまたはｌＤａｔａＳｔａｒｔである先頭のＯＦＤＭシンボルからスタートして、ナローバンドＭＴＣ−ＵＥのページング情報を搬送するためのＰＤＳＣＨ、ナローバンドＭＴＣ−ＵＥのランダムアクセスレスポンスを搬送するためのＰＤＳＣＨ、または、ナローバンドＭＴＣ−ＵＥのデータを搬送するためのＰＤＳＣＨにおけるリソースエレメントのマッピングを行うが、ナローバンドＭＴＣ−ＵＥのページング情報を搬送するためのＰＤＳＣＨ、ナローバンドＭＴＣ−ＵＥのランダムアクセスレスポンスを搬送するためのＰＤＳＣＨ、または、ナローバンドＭＴＣ−ＵＥのデータを搬送するためのＰＤＳＣＨにおけるリソースエレメントのうち、ブロードバンドＰＤＣＣＨとは重畳するリソースエレメントに対してパンクチャー処理も行う。そして、ナローバンドＭＴＣ−ＵＥは、ナローバンドＭＴＣ−ＵＥのページング情報を搬送するためのＰＤＳＣＨ、ナローバンドＭＴＣ−ＵＥのランダムアクセスレスポンスを搬送するためのＰＤＳＣＨ、または、ナローバンドＭＴＣ−ＵＥのデータを搬送するためのＰＤＳＣＨを受信すると、当該ＰＤＳＣＨにおける先頭のＯＦＤＭシンボルをそれぞれｌＰａｇｉｎｇＳｔａｒｔ、ｌＭｓｇ２ＳｔａｒｔまたはｌＤａｔａＳｔａｒｔに設定する。
【００９５】
また、共用のＭ−ＰＤＣＣＨ（ＥＰＤＣＣＨ）、新たに設計された共用の物理下り制御チャネル、その他の物理下り制御チャネル、または専用のＭ−ＰＤＣＣＨ（ＥＰＤＣＣＨ）を前記ＴＴＩで伝送する場合には、基地局によって設定されるＣＦＩ値（ＮＤＬＲＢ＞１０の場合）またはＣＦＩ値＋１（ＮＤＬＲＢ≦１０の場合）と、上記の共用のＭ−ＰＤＣＣＨ（ＥＰＤＣＣＨ）、新たに設計された共用の物理下り制御チャネル若しくはその他の物理下り制御チャネルにおける先頭のＯＦＤＭシンボル、または、専用のＭ−ＰＤＣＣＨ（ＥＰＤＣＣＨ）における先頭のＯＦＤＭシンボルの値とは、等しくなくてもよい。ＣＦＩ値（ＮＤＬＲＢ＞１０の場合）またはＣＦＩ値＋１（ＮＤＬＲＢ≦１０の場合）が、上記の共用のＭ−ＰＤＣＣＨ（ＥＰＤＣＣＨ）、新たに設計された共用の物理下り制御チャネル若しくはその他の物理下り制御チャネルにおける先頭のＯＦＤＭシンボル、または、専用のＭ−ＰＤＣＣＨ（ＥＰＤＣＣＨ）における先頭のＯＦＤＭシンボルの値よりも小さく、または等しい場合には、基地局は、上記の共用のＭ−ＰＤＣＣＨ（ＥＰＤＣＣＨ）、新たに設計された共用の物理下り制御チャネル若しくはその他の物理下り制御チャネルにおける先頭のＯＦＤＭシンボル、または、専用のＭ−ＰＤＣＣＨ（ＥＰＤＣＣＨ）における先頭のＯＦＤＭシンボルからスタートして、上記の共用のＭ−ＰＤＣＣＨ（ＥＰＤＣＣＨ）、新たに設計された共用の物理下り制御チャネル、その他の物理下り制御チャネルまたは専用のＭ−ＰＤＣＣＨ（ＥＰＤＣＣＨ）におけるリソースエレメントのマッピングを行う。一方、ＣＦＩ値（ＮＤＬＲＢ＞１０の場合）またはＣＦＩ値＋１（ＮＤＬＲＢ≦１０の場合）が、上記の共用のＭ−ＰＤＣＣＨ（ＥＰＤＣＣＨ）、新たに設計された共用の物理下り制御チャネル若しくはその他の物理下り制御チャネルにおける先頭のＯＦＤＭシンボル、または、専用のＭ−ＰＤＣＣＨ（ＥＰＤＣＣＨ）における先頭のＯＦＤＭシンボルの値よりも大きい場合には、基地局は、上記の共用のＭ−ＰＤＣＣＨ（ＥＰＤＣＣＨ）、新たに設計された共用の物理下り制御チャネル若しくはその他の物理下り制御チャネルにおける先頭のＯＦＤＭシンボル、または、専用のＭ−ＰＤＣＣＨ（ＥＰＤＣＣＨ）における先頭のＯＦＤＭシンボルからスタートして、上記の共用のＭ−ＰＤＣＣＨ（ＥＰＤＣＣＨ）、新たに設計された共用の物理下り制御チャネル、その他の物理下り制御チャネルまたは専用のＭ−ＰＤＣＣＨ（ＥＰＤＣＣＨ）におけるリソースエレメントのマッピングを行うが、上記の共用のＭ−ＰＤＣＣＨ（ＥＰＤＣＣＨ）、新たに設計された共用の物理下り制御チャネル、その他の物理下り制御チャネルまたは専用のＭ−ＰＤＣＣＨ（ＥＰＤＣＣＨ）におけるリソースエレメントのうち、ブロードバンドＰＤＣＣＨとは重畳するリソースエレメントに対してパンクチャー処理も行う。そして、ナローバンドＭＴＣ−ＵＥは、上記の共用のＭ−ＰＤＣＣＨ（ＥＰＤＣＣＨ）、新たに設計された共用の物理下り制御チャネル、その他の物理下り制御チャネルまたは専用のＭ−ＰＤＣＣＨ（ＥＰＤＣＣＨ）を受信すると、上記の共用のＭ−ＰＤＣＣＨ（ＥＰＤＣＣＨ）、新たに設計された共用の物理下り制御チャネル若しくはその他の物理下り制御チャネルにおける先頭のＯＦＤＭシンボル、または、専用のＭ−ＰＤＣＣＨ（ＥＰＤＣＣＨ）における先頭のＯＦＤＭシンボルをそれぞれ、上記実施形態のように当該チャネルについて配置される先頭のＯＦＤＭシンボルに設定する。
【００９６】
図８は、本発明において基地局が先頭のＯＦＤＭシンボルを配置する方法を示すフローチャートである。図８に示すように、方法８００はステップＳ８１０から開始する。
【００９７】
Ｓ８２０では、基地局が、送信すべき情報の処理を行う。具体的には、基地局は、送信すべきシステムブロードキャスト情報（ＳＩＢ）、ページング情報、ランダムアクセスレスポンスおよびユーザデータの処理と、送信すべき下り制御情報の処理と、送信すべきマスター情報ブロック（ＭＩＢ）の処理とを行う。
【００９８】
Ｓ８３０では、基地局が、物理ダウンリンクにおける先頭のＯＦＤＭシンボルを配置する。具体的には、ナローバンドの機器間通信型ユーザ機器に対し、システムブロードキャスト情報を搬送するためのＰＤＳＣＨにおける先頭の直交周波数分割多重（ＯＦＤＭ）シンボル（ｌＳＩＢＳｔａｒｔ）、ページング情報を搬送するためのＰＤＳＣＨにおける先頭のＯＦＤＭシンボル（ｌＰａｇｉｎｇＳｔａｒｔ）、ランダムアクセスレスポンスを搬送するためのＰＤＳＣＨにおける先頭のＯＦＤＭシンボル（ｌＭｓｇ２Ｓｔａｒｔ）、ユーザデータを搬送するためのＰＤＳＣＨにおける先頭のＯＦＤＭシンボル（ｌＤａｔａＳｔａｒｔ）、および／または、共用若しくは専用のＭ−ＰＤＣＣＨ（ＥＰＤＣＣＨ）における先頭のＯＦＤＭシンボル（ｌＥＰＤＣＣＨＳｔａｒｔ）を配置する。
【００９９】
最後に、方法８００はステップＳ８４０で終了する。
【０１００】
図９は、本発明においてユーザ機器が先頭のＯＦＤＭシンボルを取得する方法を示すフローチャートである。図９に示すように、方法９００はステップＳ９１０から開始する。
【０１０１】
Ｓ９２０では、ユーザ機器が、送信されるべき情報の処理を行う。具体的には、ユーザ機器は、受信したシステムブロードキャスト情報（ＳＩＢ）、ページング情報、ランダムアクセスレスポンスおよびユーザデータの処理と、受信した下り制御情報の処理と、受信したマスター情報ブロック（ＭＩＢ）の処理とを行う。
【０１０２】
Ｓ９３０では、ユーザ機器が、物理下りリンクにおける先頭のＯＦＤＭシンボルを取得する。具体的には、ユーザ機器は、システムブロードキャスト情報を搬送するためのＰＤＳＣＨにおける先頭の直交周波数分割多重（ＯＦＤＭ）シンボル（ｌＳＩＢＳｔａｒｔ）、ページング情報を搬送するためのＰＤＳＣＨにおける先頭のＯＦＤＭシンボル（ｌＰａｇｉｎｇＳｔａｒｔ）、ランダムアクセスレスポンスを搬送するためのＰＤＳＣＨにおける先頭のＯＦＤＭシンボル（ｌＭｓｇ２Ｓｔａｒｔ）、ユーザデータを搬送するためのＰＤＳＣＨにおける先頭のＯＦＤＭシンボル（ｌＤａｔａＳｔａｒｔ）、および／または、共用若しくは専用のＭ−ＰＤＣＣＨ（ＥＰＤＣＣＨ）における先頭のＯＦＤＭシンボル（ｌＭＰＤＣＣＨＳｔａｒｔ）を取得する。
【０１０３】
最後に、方法９００はステップＳ９４０で終了する。
【０１０４】
当業者に理解されるように、本発明の上記実施例は、ソフトウェア、ハードウェア、またはソフトウェアとハードウェアとの組合せにより実現可能である。例えば、上記実施例に係る機器内の各種のアセンブリは、複数の種類のデバイスにより実現され得る。これらのデバイスとしては、アナログ回路デバイス、デジタル回路デバイス、デジタル信号処理（ＤＳＰ）回路、プログラマブルプロセッサ、専用集積回路（ＡＳＩＣ）、フィールド・プログラマブル・ゲートアレイ（ＦＰＧＡ）、プログラマブル・ロジックデバイス（ＣＰＬＤ）などを含むが、これらに限定されない。
【０１０５】
また、以上に説明した本発明の実施例は、コンピュータプログラム製品によって実現可能である。より具体的には、該コンピュータプログラム製品とは、符号化されたコンピュータプログラムロジックを記録したコンピュータ読み取り可能な記録媒体を備える製品であって、該コンピュータプログラムロジックがコンピュータ機器によって実行されることで、本発明の上記技術的構成を実現する関連処理が行われる製品である。また、該コンピュータプログラムロジックは、コンピューティングシステムにおける少なくとも１つのプロセッサによって実行されると、本発明の実施例に記載の処理（方法）が実行されるようになる。本発明の上記構成に供される代表的なものとしては、例えば、光学媒体（例えばＣＤ−ＲＯＭ）、フロッピ（登録商標）またはハードディスクのようなコンピュータ読み取り可能な記録媒体上に記録、符号化されたソフトウェア、コードおよび／または他のデータ構成；あるいは、１つまたは複数のＲＯＭ、ＲＡＭ若しくはＰＲＯＭチップ上の固定素子や、マイクロコードのような他の媒体；あるいは、１つまたは複数のモジュール内のダウンロード可能なソフトウェア画像、共有データベース等が挙げられる。また、ソフトウェア、固定素子または上記構成をコンピューティング機器に設け、本発明の実施例に記載の技術的構成をコンピューティング機器内の１つまたは複数のプロセッサに実行させてもよい。
【０１０６】
以上、本発明の好ましい実施例を挙げつつ、本発明について説明したが、当業者に理解されるように、本発明の精神および範囲から逸脱しない限り、本発明に対して種々の改修、置換および変更を行うことが可能である。したがって、本発明は、上記の実施例に限定されず、添付される特許請求の範囲およびその均等的ものによって限定されるべきである。
【図面の簡単な説明】
【０１０７】
【図１】本発明に係る基地局を示すブロック図である。
【図２】本発明に係るユーザ機器を示すブロック図である。
【図３】本発明における、先頭のＯＦＤＭシンボルの配置を示す全体図である。
【図４】本発明において、予めの設定およびＭＩＢ方式に基づいて先頭のＯＦＤＭシンボルを配置する構成を示す模式図である。
【図５】本発明において、予めの設定、または、ＭＩＢ方式とＳＩＢ方式とに基づいて先頭のＯＦＤＭシンボルを配置する構成を示す模式図である。
【図６】本発明において、予めの設定、または、ＭＩＢ方式とＲＲＣシグナリング方式とに基づいて先頭のＯＦＤＭシンボルを配置する構成を示す模式図である。
【図７】本発明において、予めの設定、または、ＭＩＢ方式とＳＩＢ方式とＲＲＣシグナリング方式とに基づいて先頭のＯＦＤＭシンボルを配置する構成を示す模式図である。
【図８】本発明において基地局が先頭のＯＦＤＭシンボルを配置する方法を示すフローチャートである。
【図９】本発明においてユーザ機器が先頭のＯＦＤＭシンボルを取得する方法を示すフローチャートである。
【図１】
0006577013.tif 000002
【図２】
0006577013.tif 000003
【図３】
0006577013.tif 000004
【図４】
0006577013.tif 000005
【図５】
0006577013.tif 000006
【図６】
0006577013.tif 000007
【図７】
0006577013.tif 000008
【図８】
0006577013.tif 000009
【図９】
0006577013.tif 000010